(57)【要約】【課題】窓からの昼光を効率よく導入して室内を明るくすることができるとともに、居住者が眩しさを感じることのないブラインドシステムを提供する。【解決手段】窓ガラス１４の面（窓面）に沿って設けられたブラインド２と、室外１２から入射した昼光を室内１１において天井（上方）１７に向かうように屈折可能な光屈折フィルム３と、を備え、光屈折フィルム３は、ブラインド２に支持され、窓ガラス１４とブラインド２との間であって窓ガラス１４の面の上部１４ａ側に対応する位置に配され、ブラインド２は、高さ方向に配列されて水平方向に延びる複数のスラット２１，２１…を備え、複数のスラット２１，２１…は、少なくとも窓ガラス１４の面の上部１４ａ側より下方の下部１４ｂ側に対応する位置に設けられている。【選択図】図１
2015017480.tif 000002
【特許請求の範囲】
【請求項１】
室内と室外とを仕切る壁面に設けられた窓に沿って設置されるブラインドシステムにおいて、
前記窓の窓面に沿って設けられたブラインドと、
前記室外から入射した昼光を前記室内において上方に向かうように屈折可能な光屈折フィルムと、を備え、
該光屈折フィルムは、前記ブラインドに支持され、前記窓面と前記ブラインドとの間であって前記窓面の上部側に対応する位置に配され、
前記ブラインドは、高さ方向に配列されて水平方向に延びる複数のスラットを備え、
該複数のスラットは、少なくとも前記窓面の上部側より下方の下部側に対応する位置に設けられていることを特徴とするブラインドシステム。
【請求項２】
前記複数のスラットは、前記窓面の全面に対応する位置に設けられていて、
前記複数のスラットのうち前記窓面の上部側に対応した位置に設けられている複数の上側スラットが、該複数の上側スラットよりも下側に設けられている複数の下側スラットよりも水平面に対する傾斜角度が小さいことを特徴とする請求項１に記載のブラインドシステム。
【請求項３】
前記ブラインドは、前記複数のスラットの上方に設けられたヘッドボックスと、前記ヘッドボックスに吊り支持され前記複数のスラットを支持するラダーコードと、を備え、
該ラダーコードは、前記複数のスラットの前記室内側に設けられて前記ヘッドボックスから吊り支持された室内側コードと、
前記複数のスラットの前記室外側に設けられて前記ヘッドボックスから吊り支持された室外側コードと、
前記高さ方向に所定間隔をあけて配列されて一方の端部が前記室内側コードと連結し他方の端部が前記室外側コードと連結していて、上部に前記スラットがそれぞれ載置される複数の連結コードと、を備え、
前記複数の上側スラットのうち最下部に配された上側最下部スラットが載置された第１連結コードと前記室内側コードとの第１室内側連結部と、前記第１連結コードの直下にある第２連結コードと前記室内側コードとの第２室内側連結部と、の間隔が、他の高さ方向に隣り合う連結コードと前記室内側コードとの室内側連結部の間隔よりも小さいことを特徴とする請求項２に記載のブラインドシステム。
【発明の詳細な説明】
【技術分野】
【０００１】
本発明は、昼光を利用して照明エネルギーを削減しつつ室内の光環境を向上させるためのブラインドシステムに関する。
【背景技術】
【０００２】
従来、室内で使用する照明エネルギーの削減を図る場合、窓からの昼光を積極的に室内に導入し利用することは、照明の消費電力削減のための有効な手段の一つとなっている。
一般的には、ブラインドが日射調整のための手段として使われており、スラットの角度を調整することで適度な昼光を室内に導き室内の明るさを調整している（例えば、特許文献１参照）。
また近年、昼光を屈折可能な光屈折フィルムが開発されており、この光屈折フィルムを直接窓面に貼ることで室外から窓に入射した昼光を室内の天井に向けて屈折させて、室内を明るくしている。
【先行技術文献】
【特許文献】
【０００３】
【特許文献１】特許第３７０００９８号公報
【発明の概要】
【発明が解決しようとする課題】
【０００４】
しかしながら、ブラインドを設置する方法では、太陽高度は時々刻々変化するため、ブラインドのスラットの角度を太陽高度に合わせて調整する必要があり手間がかかるという問題がある。このため、オフィスなどではブラインドを閉状態のまま使用し、常時天井照明を点灯させているところも多い。
また、スラットの角度を自動に調整できるブラインドもあるが、高価なため設置できない場合が多いというのが現状である。
【０００５】
また、光屈折フィルムを使用する方法では、明るさを調整することが難しいとともに、光屈折フィルムを窓ガラスに貼ると日射熱の影響により窓ガラスに熱割れが生じる可能性があり、窓ガラスの種類によっては使用することができないという問題がある。さらに、光屈折フィルムは居住者の目線よりも低い位置に貼りつけると、天井へ反射する昼光が居住者へあたるため、居住者が眩しく感じるという問題もある。このため、目線よりも低い位置には光屈折フィルムを貼りつけないことが考えられるが、このようにすると光屈折フィルムが貼りつけられていない部分から直接昼光が入り込んでしまうという問題がある。
【０００６】
本発明は、上述する問題点に鑑みてなされたもので、窓からの昼光を効率よく導入して室内を明るくすることができるとともに、居住者が眩しさを感じることのないブラインドシステムを提供することを目的とする。
【課題を解決するための手段】
【０００７】
上記目的を達成するため、本発明に係るブラインドシステムは、室内と室外とを仕切る壁面に設けられた窓に沿って設置されるブラインドシステムにおいて、前記窓の窓面に沿って設けられたブラインドと、前記室外から入射した昼光を前記室内において上方に向かうように屈折可能な光屈折フィルムと、を備え、該光屈折フィルムは、前記ブラインドに支持され、前記窓面と前記ブラインドとの間であって前記窓面の上部側に対応する位置に配され、前記ブラインドは、高さ方向に配列されて水平方向に延びる複数のスラットを備え、該複数のスラットは、少なくとも前記窓面の上部側より下方の下部側に対応する位置に設けられていることを特徴とする。
【０００８】
本発明では、窓面を透過した昼光のうち、窓面の上部側に入射して光屈折フィルムに入射する昼光は、光屈折フィルムによって室内の天井に向かうように屈折する。このとき、窓面の上部側に対応する位置にスラットが設けられていない場合は、光屈折フィルムによって屈折した昼光がスラットに遮られることなく室内の天井に向かい、窓面の上部側に対応する位置に複数のスラットが設けられている場合は、光屈折フィルムによって屈折した昼光の一部が高さ方向に隣り合う上側スラットの間を通過して室内の天井に向かう。そして、室内の天井に向かった昼光は、室内の天井にあたり反射するため、昼光を効率よく利用して室内を明るくすることができる。
また、窓面を透過した昼光のうち、窓面の下部側に入射した昼光（光屈折フィルムへ入射しない昼光）は、下側スラットによって全てまたは一部が室内へ入射しないように遮蔽されるため、室内の居住者に直接昼光が当たることがなく、居住者が眩しさを感じることをなくすことができて、照明エネルギーを削減しつつ室内の光環境を向上させることができる。
また、光屈折フィルムがブラインドに支持されていることにより、光屈折フィルムを窓面に貼った場合のような日射熱の影響による窓面の熱割れが生じないため、窓（窓ガラス）の種類にかかわらず簡便にブラインドシステムを設置することができる。
【０００９】
また、本発明に係るブラインドシステムでは、前記複数のスラットは、前記窓面の全面に対応する位置に設けられていて、前記複数のスラットのうち前記窓面の上部側に対応した位置に設けられている複数の上側スラットが、該複数の上側スラットよりも下側に設けられている複数の下側スラットよりも水平面に対する傾斜角度が小さいことが好ましい。
【００１０】
このように、複数の上側スラットが、複数の下側スラットよりも水平面に対する傾斜角度が小さいことにより、複数の上側スラットが配されたブラインドの上部側は昼光を通過させやすく、複数の下側スラットは昼光を全てまたは一部を室内へ入射しないように遮蔽するように構成されている。
このため、窓面を透過した昼光のうち、窓面の上部側に入射して光屈折フィルムに入射する昼光は、光屈折フィルムによって室内の天井に向かうように屈折し、高さ方向に隣り合う上側スラットの間を通過して室内の天井にあたり反射するため、昼光を効率よく利用して室内を明るくすることができる。
また、窓面を透過した昼光のうち、窓面の下部側に入射した昼光は、下側スラットによって全てまたは一部が室内へ入射しないように遮蔽されるため、室内の居住者に直接昼光が当たることがなく、居住者が眩しさを感じることをなくすことができる。
【００１１】
また、本発明に係るブラインドシステムでは、前記ブラインドは、前記複数のスラットの上方に設けられたヘッドボックスと、前記ヘッドボックスに吊り支持され前記複数のスラットを支持するラダーコードと、を備え、該ラダーコードは、前記複数のスラットの前記室内側に設けられて前記ヘッドボックスから吊り支持された室内側コードと、前記複数のスラットの前記室外側に設けられて前記ヘッドボックスから吊り支持された室外側コードと、前記高さ方向に所定間隔をあけて配列されて一方の端部が前記室内側コードと連結し他方の端部が前記室外側コードと連結していて、上部に前記スラットがそれぞれ載置される複数の連結コードと、を備え、前記複数の上側スラットのうち最下部に配された上側最下部スラットが載置された第１連結コードと前記室内側コードとの第１室内側連結部と、前記第１連結コードの直下にある第２連結コードと前記室内側コードとの第２室内側連結部と、の間隔が、他の高さ方向に隣り合う連結コードと前記室内側コードとの室内側連結部の間隔よりも小さいことが好ましい。
【００１２】
このように、第１室内側連結部と第２室内側連結部との間隔を、他の高さ方向に隣り合う室内側連結部の間隔よりも小さくすることにより、下側スラットを支持する連結コードの室内側の端部（室内側連結部）が引き上げられる、または上側スラットを支持する連結コードの室内側の端部（室内側連結部）が引き下げられる。
このため、複数の上側スラットの水平面に対する傾斜角度を、複数の下側スラットの水平面に対する傾斜角度よりも容易かつ確実に小さくすることができる。
【発明の効果】
【００１３】
本発明によれば、窓面を透過した昼光のうち、窓面の上部側に入射して光屈折フィルムに入射する昼光は、光屈折フィルムによって室内の天井に向かうように屈折する。このとき、窓面の上部側に対応する位置にスラットが設けられていない場合は、光屈折フィルムによって屈折した昼光がスラットに遮られることなく室内の天井に向かい、窓面の上部側に対応する位置に複数のスラットが設けられている場合は、光屈折フィルムによって屈折した昼光の一部が高さ方向に隣り合う上側スラットの間を通過して室内の天井に向かう。そして、室内の天井に向かった昼光は、室内の天井にあたり反射するため、昼光を効率よく利用して室内を明るくすることができる。
また、窓面を透過した昼光のうち、窓面の下部側に入射した昼光（光屈折フィルムへ入射しない昼光）は、下側スラットによって全てまたは一部が室内へ入射しないように遮蔽されるため、室内の居住者に直接昼光が当たることがなく、居住者が眩しさを感じることをなくすことができて、照明エネルギーを削減しつつ室内の光環境を向上させることができる。
また、光屈折フィルムがブラインドに支持されていることにより、光屈折フィルムを窓面に貼った場合のような日射熱の影響による窓面の熱割れが生じないため、窓（窓ガラス）の種類にかかわらず簡便にブラインドシステムを設置することができる。
【図面の簡単な説明】
【００１４】
【図１】本発明の実施形態によるブラインドシステムの一例を示す図である。
【図２】図１の部分拡大図である。
【発明を実施するための形態】
【００１５】
以下、本発明の実施形態によるブラインドシステムについて、図１および図２に基づいて説明する。
図１に示すように、実施形態によるブラインドシステム１は、室内１１と室外１２とを仕切る壁面１３に設けられた窓ガラス１４に沿って窓ガラス１４の室内１１側に設置されたブラインド２と、光屈折フィルム３とを備えている。
【００１６】
ブラインド２は、高さ方向に配列された複数のスラット２１，２１…と、複数のスラット２１，２１…の上側に設けられたヘッドボックス２２と、複数のスラット２１，２１…の下側に設けられたボトムレール２３と、ヘッドボックス２２から垂下し複数のスラット２１，２１…およびボトムレール２３を吊り支持する複数のラダーコード２４，２４…と、を備えている。
複数のスラット２１，２１…は、窓ガラス１４の面に沿った水平方向に延びる長尺の薄板状に形成されている。また、ヘッドボックス２２およびボトムレール２３も窓ガラス１４の面に沿った水平方向に延びる長尺の部材で構成されている。
【００１７】
ブラインド２のヘッドボックス２２は、窓ガラス１４上方の壁や天井１７、またはブラインドボックスなどに固定されている。そして、複数のスラット２１，２１…およびボトムレール２３は、ラダーコード２４，２４の操作により高さ方向に移動可能に構成されていて、ボトムレール２３は、最下部に移動したときに、窓ガラス１４の下端部１４ｃと同じ高さまたは窓ガラス１４の下端部１４ｃよりも下方に位置するように構成されている。
【００１８】
ラダーコード２４は、複数のスラット２１，２１…の室内１１側に垂下する室内側コード２５と、複数のスラット２１，２１…の室外１２側（窓ガラス１４側）に垂下する室外側コード２６と、一方の端部２７ａが室内側コード２５と連結され他方の端部２７ｂが室外側コード２６と連結されていて高さ方向に配列された複数の連結コード２７，２７…と、を備えている。
複数の連結コード２７，２７…は、スラット２１の延在方向と略直交する方向に延びていて、上部にそれぞれスラット２１が載置されてスラット２１を下面側から支持している。
このため、連結コード２７の両端部２７ａ，２７ｂが互いに同じ高さに位置しているときは、スラット２１の面が水平となり、連結コード２７の両端部２７ａ，２７ｂが互いに異なる高さに位置し傾斜しているときは、スラット２１の面がスラット２１の延在方向と水平面内で略直交する方向に対して傾斜するように構成されている。
【００１９】
そして、室内側コード２５と室外側コード２６とを高さ方向に相対移動させることで複数の連結コード２７，２７…の水平面に対する傾斜角度が変化し、この連結コード２７，２７…の傾斜角度の変化に伴って、複数のスラット２１，２１…の面の水平面に対する傾斜角度が変化するように構成されている。
本実施形態では、連結コード２７の室内１１側の端部２７ａが室外１２側の端部２７ｂよりも高い位置となるように調整されて、スラット２１の上面２１ａが室外１２側の斜め上方を向いている
【００２０】
ここで、複数のスラット２１，２１…のうち、例えば、室内１１の居住者１５の目線よりも上方となる高さ（室内１１の床面１６から約２ｍよりも高い高さ）に配されたスラット２１，２１…を上側スラット２１Ａ，２１Ａ…とし、この上側スラット２１Ａ，２１Ａ…よりも下方のスラット２１，２１…を下側スラット２１Ｂ，２１Ｂ…とする。本実施形態では、上側スラット２１Ａの方が下側スラット２１Ｂよりも水平面に対する傾斜角度が小さくなるように調整されている。
【００２１】
通常、連結コード２７，２７…は、高さ方向に等間隔に配列されていて、連結コード２７と室内側コード２５との連結部を室内側連結部２８とし、連結コード２７と室外側コード２６との連結部を室外側連結部２９とすると、高さ方向に隣り合う室内側連結部２８，２８の間隔と高さ方向に隣り合う室外側連結部２９，２９の間隔はすべて等しくなるように設定されている。
【００２２】
これに対し、本実施形態では、図２に示すように、複数の上側スラット２１Ａ，２１Ａ…のうちの最下部の上側最下部スラット２１Ａａを支持する連結コード２７Ａ（以下、第１連結コード２７Ａとする）と室内側コード２５との室内側連結部２８Ａ（以下、第１室内側連結部２８Ａとする）とし、この第１連結コード２７Ａの直下に配された連結コード２７Ｂ（以下、第２連結コード２７Ｂとする）と室内側コード２５との室内側連結部２８Ｂ（以下、第２室内側連結部２８Ｂとする）としたときに、第１室内側連結部２８Ａと第２室内側連結部２８Ｂとの間隔ｄ１が、他の高さ方向に隣り合う室内側連結部２８，２８の間隔ｄ２（および高さ方向に隣り合う室外側連結部２９，２９の間隔ｄ３）よりも小さくなるように構成されている。
上記のように構成するために、予めコードの長さを所望の長さに調整してブラインドを製造すればよい。他にも、第１室内側連結部２８Ａと第２室内側連結部２８Ｂとの間において室内側コード２５をつまんだり、複数の上側スラット２１Ａ，２１Ａ…のうちの最下部の上側スラット２１Ａａとその直下の下側スラット２１Ｂとを室内側において挟んで当接させたりすることでも上記のように構成することができる。
そして、第１室内側連結部２８Ａと第２室内側連結部２８Ｂとの間隔ｄ１を、他の高さ方向に隣り合う室内側連結部２８，２８の間隔ｄ２よりも小さくすることにより、下側スラット２１Ｂを支持する連結コード２７の室内１１側の端部２７ａ（室内側連結部２８）が引き上げられる、または上側スラット２１Ａを支持する連結コード２７の室内１１側の端部２７ａ（室内側連結部２８）が引き下げられる。
【００２３】
そして、上記のように構成されていることにより、第１連結コード２７Ａから上側の連結コード２７，２７…は、第２連結コード２７Ｂから下側の連結コード２７，２７よりも水平面に対する傾斜角度が小さくなっている。
このため、第１連結コード２７Ａから上側の連結コード２７，２７…に載置された上側スラット２１Ａ，２１Ａ…の水平面に対する傾斜角度θ１は、第２連結コード２７Ｂから下側の連結コード２７，２７に載置された下側スラット２１Ｂ，２１Ｂ…の水平面に対する傾斜角度θ２よりも小さくなっている。
【００２４】
このとき、上側スラット２１Ａ，２１Ａ…が配されたブラインド２の上部側は昼光を室内１１へ通過させやすく、下側スラット２１Ｂ，２１Ｂ…は昼光を室内１１へ入射しないように遮蔽するように、上側スラット２１Ａ，２１Ａ…および下側スラット２１Ｂ，２１Ｂ…の水平面に対する傾斜角度θ１，θ２は調整されている。
【００２５】
次に、図１に示すように、光屈折フィルム３は、透明または半透明のシート状または薄板状のフィルムで、一方の面側から入射した光の大部分を屈折させて他方の面側に透過させるように構成されている。
光屈折フィルム３は、上端部３ａ近傍がヘッドボックス２２の室外１２側に接着されたり、ビスなどの係止具を用いて固定されたりしていて、ヘッドボックス２２に吊り支持されている。
光屈折フィルム３は、窓ガラス１４の面と平行となる向きに設置されている。そして、光屈折フィルム３は、ブラインド２の複数の上側スラット２１Ａ，２１Ａ…に対応する位置で、上側スラット２１Ａ，２１Ａ…の投影面積と略同一の大きさに形成されている。言い換えれば、光屈折フィルム３の下端部３ｂが室内１１の床面１６から約２ｍの高さに位置するように配されている。
【００２６】
このような光屈折フィルム３は、室外１２側の斜め上方から昼光が入射すると、入射した昼光を室内１１の天井１７に向かうように屈折させることができる。
また、図１および図２に示すように、光屈折フィルム３の下端部３ｂには、光屈折フィルム３に皺がよるなどの変形を防止するため、錘４が設けられている。錘４には、例えば、光屈折フィルム３の下端部３ｂに沿って設けられたＬ字アングルなど線状の部材が使用されている。
【００２７】
次に、上述したブラインドシステム１の作用・効果について図面を用いて説明する。
本実施形態によるブラインドシステム１では、窓ガラス１４を透過した昼光のうち、窓ガラス１４の面の上部１４ａ側に入射して光屈折フィルム３に入射する昼光は、大部分が光屈折フィルム３によって室内１１の天井１７に向かうように屈折する。そして、光屈折フィルム３を透過した昼光は、高さ方向に隣り合う上側スラット２１Ａ，２１Ａの間を通過して室内１１の天井１７にあたり反射するため、昼光を効率よく利用して室内１１を明るくすることができる。
また、窓ガラス１４を透過した昼光のうち、窓ガラス１４の面の下部１４ｂ側に入射した昼光（光屈折フィルム３へ入射しない昼光）は、下側スラット２１Ｂ，２１Ｂ…によって室内１１へ入射しないように遮蔽されるため、室内１１の居住者１５に直接昼光が当たることがなく、居住者１５が眩しさを感じることをなくすことができて、照明エネルギーを削減しつつ室内１１の光環境を向上させることができる。
【００２８】
また、第１室内側連結部２８Ａと第２室内側連結部２８Ｂとの間隔ｄ１を、他の高さ方向に隣り合う室内側連結部２８，２８の間隔ｄ２よりも小さくすることにより、複数の上側スラット２１Ａ，２１Ａの水平面に対する傾斜角度θ１を、複数の下側スラット２１Ｂ，２１Ｂの水平面に対する傾斜角度θ２よりも容易に小さくすることができる。なお、このようにコードの長さを調整しているだけであるため、スラットの角度は通常のブラインドと同様に、居住者が全てのスラットについて一律に操作（調整）することができる。
また、光屈折フィルム３がブラインド２のヘッドボックス２２に吊り支持されていることにより、光屈折フィルム３を窓ガラス１４に貼った場合のような日射熱の影響による窓ガラス１４の熱割れが生じないため、窓ガラス１４の種類にかかわらず簡便にブラインドシステム１を設置することができる。
【００２９】
以上、本発明によるブラインドシステム１の実施形態について説明したが、本発明は上記の実施形態に限定されるものではなく、その趣旨を逸脱しない範囲で適宜変更可能である。
例えば、上記の実施形態では、複数の上側スラット２１Ａ，２１Ａ…および光屈折フィルム３は、室内１１の居住者１５の目線よりも上方となる室内１１の床面１６から約２ｍの高さに設けられているが、室内１１の床面１６から約２ｍの高さに設けられていなくてもよく、窓ガラス１４の面の上部１４ａ側に入射した昼光が天井１７へ向かい、下部１４ｂ側に入射した昼光が室内１１に入射することを遮蔽できれば、室内１１の用途や形状などに合わせた高さに設けられていてもよい。
また、上記の実施形態では、窓ガラス１４の面の下部１４ｂ側に入射した昼光は、下側スラット２１Ｂ，２１Ｂによってすべて室内１１に入射しないように遮蔽されているが、室内１１の用途や形状などに合わせて、一部を室内１１へ導入し、それ以外を室内１１へ入射しないように遮蔽してもよい。
また、上記の実施形態では、ブラインド２のスラット２１は、上側スラット２１Ａ，２１Ａ…と下側スラット２１Ｂ，２１Ｂ…とから構成されているが、例えば室内１１を暗くする必要がない場合には、上側スラット２１Ａ，２１Ａが設けられておらずブラインド２のスラット２１が下側スラット２１Ｂ，２１Ｂ…のみで構成されるようにして、光屈折フィルム３によって屈折した昼光を十分に室内１１に取り込んで利用するようにしてもよい。また、上側スラット２１Ａ，２１Ａが設けられている場合でも、上側スラット２１Ａ，２１Ａ…を１枚おきに外すなどして、隣り合う上側スラット２１Ａ，２１Ａの間隔が隣り合う下側スラット２１Ｂ，２１Ｂの間隔よりも大きくなるようにして、光屈折フィルム３によって屈折した昼光を十分に室内１１に取り込んで利用するようにしてもよい。
また、上記の実施形態では、光屈折フィルム３はヘッドボックス２２に吊り支持されているが、ヘッドボックス２２以外のブラインド２の部材に支持されていてもよい。
また、上記の実施形態では、光屈折フィルム３の下端部３ｂに錘４が設けられているが、錘４が設けられていなくてもよい。
【符号の説明】
【００３０】
１  ブラインドシステム
２  ブラインド
３  光屈折フィルム
４  錘
１１  室内
１２  室外
１３  壁面
１４  窓ガラス
１４ａ  上部
１４ｂ  下部
１５  居住者
１６  床面
１７  天井
２１  スラット
２１Ａ  上側スラット
２１Ａａ  上側最下部スラット
２１Ｂ  下側スラット
２２  ヘッドボックス
２３  ボトムレール
２４  ラダーコード
２５  室内側コード
２６  室外側コード
２７  連結コード
２７Ａ  第１連結コード
２７Ｂ  第２連結コード
２８  室内側連結部
２８Ａ  第１室内側連結部
２８Ｂ  第２室内側連結部
２９  室外側連結部
θ１，θ２  傾斜角度
【図１】
2015017480.tif 000003
【図２】
2015017480.tif 000004